(57)【特許請求の範囲】
【請求項１】
容器本体開口部に着脱自在に取り付けられる有底筒状の外栓と、該外栓の上部に上下方向にヒンジ回動可能に設けられて外栓の上部開口を開閉する内栓と、該内栓を前記外栓に閉状態に係止する係止部材とを有し、前記外栓は、その底壁に液通孔を穿設して、該底壁から上部開口の間を液流路とし、前記内栓は、前記液通孔を上方から密閉するシール部材を備え、前記係止部材は、前記内栓の側壁から突出して前記外栓の内周壁に係合する係止爪を有し、前記内栓の上面に係止爪突出方向に往復動可能に設けられていることを特徴とする液体容器の栓体。
【発明の詳細な説明】
【０００１】
【発明の属する技術分野】
本発明は、魔法瓶等の液体容器の栓体に関する。
【０００２】
【従来の技術】
近年、水筒や魔法瓶等の液体を収納して携行される液体容器の栓体として、容器本体の開口部に栓体を装着したままで注げるようにした、いわゆる、ワンタッチ栓と呼ばれるものが広く使用されている。このワンタッチ栓は、例えば、特開平９−２１５６１０号公報に開示されているように、内筒部と外筒部とからなり、内筒部上部に形成した流出口と外筒部下部に形成した流入口とを連通した液流路を内筒部と外筒部の間に設けた栓本体と、該栓本体の上面に配されたプッシュボタンの下方への押圧により連動して上下動する弁棒と、該弁棒の先端に前記液流路の流入口を開閉するよう設けた弁体と、前記プッシュボタンと連結して、弁体の開閉と同期して前記液流路の流出口を開閉作動するフラップとで構成されている。
【０００３】
【発明が解決しようとする課題】
しかし、上述の構成では、液流路を開閉する弁体を、栓本体の上面に配されたプッシュボタンにて上下動させるため、開閉操作機構が縦方向になり、栓体全体の高さが高くなる。また、液流路を開くときに、弁体を容器本体内方へ動かすため、容器本体内の液体の温度が高い等の理由から圧力が外部より高い場合、開操作に力を要する。
【０００４】
そこで本発明は、栓体全体の高さを低くするとともに、開閉操作が容易な液体容器の栓体を提供することを目的としている。
【０００５】
【課題を解決するための手段】
上記した目的を達成するため、本発明の液体容器の栓体は、容器本体開口部に着脱自在に取り付けられる有底筒状の外栓と、該外栓の上部に上下方向にヒンジ回動可能に設けられて外栓の上部開口を開閉する内栓と、該内栓を前記外栓に閉状態に係止する係止部材とを有し、前記外栓は、その底壁に液通孔を穿設して、該底壁から上部開口の間を液流路とし、前記内栓は、前記液通孔を上方から密閉するシール部材を備え、前記係止部材は、前記内栓の側壁から突出して前記外栓の内周壁に係合する係止爪を有し、前記内栓の上面に係止爪突出方向に往復動可能に設けられていることを特徴としている。
【０００６】
【発明の実施の形態】
以下、本発明を、図面に示す実施形態例に基づいて、さらに詳細に説明する。魔法瓶等の液体容器の栓体１は、容器本体２の開口部に着脱自在に取り付けられる外栓３と、該外栓３の上部に上下方向にヒンジ回動可能に設けられて外栓３の上部開口を開閉する内栓４と、該内栓４を前記外栓３に閉状態に係止する係止部材５とを有している。
【０００７】
前記外栓３は、有底筒状に形成された栓体部３１と、該栓体部３１を組み付けた容器本体２への取付部３２とからなり、栓体部３１を容器本体２の開口部内に挿入して、取付部３２内周に形成されたネジ部３３を容器本体２の首部外周のネジ部２１に螺合することにより容器本体２の開口部に取り付けられる。前記取付部３２の上部一側に、前記内栓４が水平方向の支軸６にて上下方向にヒンジ回動可能に取り付けられている。これにより、栓体１は、支軸６と径方向に対向する側が注ぎ口になる。
【０００８】
前記栓体部３１は、その底壁３４を支軸６側から注ぎ口側へ低くなるよう傾斜して形成され、該底壁３４の低い方に液通孔３５を、高い方に空気孔３６をそれぞれ穿設して、該底壁３４から上部開口の間を液流路３７としている。また、栓体部３１の下部外周には、外栓３を容器本体２に取り付けたときに、容器本体２の開口部内周壁下部の段部２２に密着するリング状のシール部材３８が備えられている。
【０００９】
前記内栓４は、有底筒状に形成された栓体部４１と、該栓体部４１の上部開口を覆う蓋部４２とからなり、栓体部４１は、胴部４３と底壁４４とを有し、胴部４３の外周にはシール部材取付用の溝４５が周設されている。底壁４４は、前記外栓３の底壁３４に対応して傾斜して形成されており、その下面には、前記液通孔３５と前記空気孔３６にそれぞれ対応する位置にシール部材取付用の突起４６，４７が形成されている。液通孔３５に対応する突起４６には空気抜き孔４６ａが穿設されている。また、蓋部４２にも、外部へ開口する空気抜き孔４２ａが形成されている。
【００１０】
また、前記栓体部４１には、エラストマー等の弾性体からなるシール部材７が設けられている。このシール部材７は、前記内栓４を閉じたときに、前記液通孔３５を上方から密閉する流入口シール部７１と、前記空気孔３６を上方から密閉する空気孔シール部７２と、前記外栓３の上部開口近傍内周壁に密着する流出口シール部７３とを一体に形成したもので、流入口シール部７１を前記突起４６に、空気孔シール部７２を前記突起４７にそれぞれ外嵌し、舌片７４を前記溝４５に嵌合して栓体部４１に取り付けられる。流入口シール部７１は、突起４６との間に空洞部７５を形成して設けられる。なお、本実施形態例では一体型のシール部材を用いたが、流入口シール部７１、空気孔シール部７２及び流出口シール部７３はそれぞれ別部品でもよい。
【００１１】
前記蓋部４２の上面には、前記係止部材５が設けられている。該係止部材５は、前記栓体部４１の注ぎ口側外周壁から突出して前記外栓３の取付部３２上部の注ぎ口側内周壁に形成した係合穴３９に係合する係止爪５２を有し、該係止爪５２の突出方向、すなわち、支軸６から注ぎ口方向に往復動可能に設けられ、蓋部４２の側壁との間に縮設されたコイルスプリング５１により常時注ぎ口方向へ付勢されている。また、上面には、操作部５３を隆起形成している。
【００１２】
この係止部材５は、外栓３の上部開口を内栓４で閉じた際に、係止爪５２が前記係合穴３９と係合して内栓４を閉状態に保持する。また、操作部５３を前記コイルスプリング５１の付勢力に抗して支軸６側へ動かすことにより、係止爪５２が前記栓体部４１内に引き込まれて前記係合穴３９との係合を解除する。支軸６には、内栓４を常時開方向（上方）に付勢するトーションスプリング６１が設けられ、このトーションスプリング６１の付勢力によって内栓４は上方に回動して開く。この内栓４は、図１に示されるように、支軸６を中心として閉状態から約１８０度開き、容器本体２を傾けて液体を注ぐ際には、トーションスプリング６１の付勢力によって内栓４の閉方向への回動が規制され開状態を維持する。
【００１３】
このように、栓体１は、外栓３の底壁３４に形成した液通孔３５を、上下方向に回動する内栓４の流入口シール部７１で上方から塞ぐ構成であるから、底壁３４から上部開口間の寸法を短くでき、内栓４を開く係止部材５の操作が、容器本体２の径方向である支軸６から注ぎ口方向、すなわち、横方向であることと相俟って、栓体１全体の高さを従来よりも低くできる。また、内栓４が上方へ回動して開く構成であるから、容器本体内の圧力が外部より高い場合でも、内栓４を容易に開くことができる。さらに、流入口シール部７１内側の空洞部７５が大気と連通しているから閉じる操作も容易である。
【００１４】
【発明の効果】
以上説明したように、本発明の液体容器の栓体は、容器本体開口部に着脱自在に取り付けられる有底筒状の外栓の底壁に液通孔を穿設して、底壁から上部開口の間を液流路とし、この外栓の上部に上下方向にヒンジ回動可能に設けられて外栓の上部開口を開閉する内栓に液通孔を上方から密閉するシール部材を設け、内栓の上面に、内栓の側壁から突出して外栓の内周壁に係合することにより内栓を閉状態に保持する係止爪を備えた係止部材を係止爪突出方向に往復動可能に設けたので、外栓の底壁から上部開口間の寸法を短くできるとともに、内栓を開く係止部材の操作が横方向であるから、栓体全体の高さを従来よりも低くできる。これにより、栓体が取り付けられる容器本体首部を短くして容器本体をコンパクトにすることが可能となる。また、内栓が上方へ回動して開くから、容器本体内の圧力が外部より高い場合でも、内栓を容易に開くことができる。
【図面の簡単な説明】
【図１】本発明の栓体を開いた状態の断面図
【図２】同じく閉じた状態の断面図
【図３】係止部材を支軸方向へ移動させた状態の断面図
【図４】栓体を開いた状態の一部切り欠き平面図
【図５】栓体を開いた状態の斜視図
【符号の説明】
１…栓体、２…容器本体、３…外栓、３１…栓体部、３２…取付部、３４…底壁、３５…液通孔、３７…液流路、３９…係合穴、４…内栓、４１…栓体部、４３…胴部、４４…底壁、５…係止部材、５２…係止爪、５３…操作部、６…支軸、７…シール部材、７１…流入口シール部
【図１】
0003620040.tif 000002
【図２】
0003620040.tif 000003
【図３】
0003620040.tif 000004
【図４】
0003620040.tif 000005
【図５】
0003620040.tif 000006